(57)【要約】  本発明は保温用耳当て装置に関する。より具体的には、本発明は保温用耳当ておよび保温用耳当てフレームを形成する器具および方法に関する。
2005515828.tif 000002
【特許請求の範囲】
【請求項１】
シェルと前記シェルに挿入するよう構成されたフレームとを備えた保温用耳当てであって、
前記フレームは第１耳部分と第２耳部分とを含み、前記フレームは伸張状態と折畳状態とを選択して使用可能であり、前記第１耳部分は前記折畳状態では前記第２耳部分に隣接し、前記フレームは長手方向軸を有し、伸張状態で前記長手方向軸にほぼ平行な軸に対して前記フレームが湾曲している保温用耳当て。
【請求項２】
前記フレームは第１バンド部材と第２バンド部材とを含み、前記第１バンド部材は前記第２バンド部材に連結され、前記第１バンド部材は第１フレーム部分と前記第１耳部分とを含み、前記第２バンド部材は第２フレーム部分と前記第２耳部分とを含む、請求項１に記載の保温用耳当て。
【請求項３】
前記フレームは第１バンド部材と第２バンド部材とを含み、前記第１バンド部材は前記第２バンド部材に連結され、前記第１バンド部材は第１フレーム部分と前記第１耳部分とを含み、前記第２バンド部材は第２フレーム部分と前記第２耳部分とを含み、前記第１フレーム部分は前記第２フレーム部分に連結されるよう構成されている、請求項１に記載の保温用耳当て。
【請求項４】
前記フレームは第１バンド部材と第２バンド部材と第３バンド部材とを含み、前記第１バンド部材は前記第２バンド部材に連結されるよう構成され、前記第２バンド部材は前記第３バンド部材に連結されるよう構成されている、請求項１に記載の保温用耳当て。
【請求項５】
前記フレームは第１バンド部材と第２バンド部材と第３バンド部材とを含み、前記第１バンド部材は前記第２バンド部材に連結されるよう構成され、前記第２バンド部材は前記第３バンド部材に連結されるよう構成され、前記第１バンド部材は前記第１耳部分を含み、前記第２バンド部材は前記第２耳部分を含み、前記第３バンド部材は第１フレーム部分を含む、請求項１に記載の保温用耳当て。
【請求項６】
前記第１バンド部材は独自の長手方向軸を有し、前記第２バンド部材は独自の長手方向軸を有し、前記第１バンド部材は前記第１バンド部材の前記長手方向軸にほぼ平行な軸に対して湾曲しており、前記第２バンド部材は前記第２バンド部材の前記長手方向軸にほぼ平行な軸に対して湾曲している、請求項５に記載の保温用耳当て。
【請求項７】
前記第１耳部分は第１耳穴開口部を画定する第１フレーム部分を含み、前記第２耳部分は第２耳穴開口部を画定する第２フレーム部分を含む、請求項１に記載の保温用耳当て。
【請求項８】
前記フレームは長手方向軸を有し、前記フレームが前記折畳状態にあるとき前記フレームは前記長手方向軸にほぼ直角な軸に対して湾曲し、前記フレームが前記伸張状態にあるとき前記フレームは前記長手方向軸に沿って伸長する、請求項１に記載の保温用耳当て。
【請求項９】
前記フレームは前記伸張状態にある間は前記長手方向軸に沿って伸長した形状を維持する、請求項１に記載の保温用耳当て。
【請求項１０】
シェルと前記シェルに挿入するよう構成されたフレームとを備えた保温用耳当てであって、前記フレームは、
第１フレーム部材であって、通路と前記第１フレーム部材通路に隣接して配置された突起とを含む第１フレーム部材と、
第２フレーム部材であって、複数の突起を含む第２フレーム部材と、
第３フレーム部材であって、通路と前記第３フレーム部材通路に隣接して配置された突起とを含む第３フレーム部材とを含み、前記第１フレーム部材通路は前記第２フレーム部材を受け入れるよう構成され、前記第３フレーム部材通路は前記第２フレーム部材を受け入れるよう構成され、前記第１フレーム部材と前記第３フレーム部材とを前記第２フレーム部材に連結すべく、前記第１フレーム部材突起と前記第３フレーム部材突起とが前記複数の突起と係合するよう構成される保温用耳当て。
【請求項１１】
前記第２フレーム部材は内側表面を有し、前記複数の突起が前記内側表面に配置されている、請求項１０に記載の保温用耳当て。
【請求項１２】
前記第１フレーム部材はバンド部分と耳フレーム部分とを含み、前記バンド部分は複数の突起を含み、前記第１フレーム部材通路が前記バンド部分に配置されている、請求項１０に記載の保温用耳当て。
【請求項１３】
前記第１フレーム部材はバンド部分と耳フレーム部分とを含み、前記バンド部分は第１表面と前記第１表面に配置された複数の突起とを含み、前記第１フレーム部材通路が前記バンド部分に配置されている、請求項１０に記載の保温用耳当て。
【請求項１４】
前記第１フレーム部材はバンド部分と耳フレーム部分とを含み、前記第１フレーム部材通路が前記バンド部分に配置され、前記バンド部分は前記耳フレーム部分に連結されるよう構成されている、請求項１０に記載の保温用耳当て。
【請求項１５】
前記第１フレーム部材は独自のバンド部分と独自の耳フレーム部分とを含み、前記第２フレーム部材は独自のバンド部分と独自の耳フレーム部分とを含み、前記第１フレーム部材の前記バンド部分は複数の突起を含み、前記第１フレーム部材通路は前記第１フレーム部材の前記バンド部分上に配置され、前記第２フレーム部材のバンド部分は複数の突起を含み、前記第２フレーム部材通路は前記第２フレーム部材の前記第２バンド部分上に配置される、請求項１０に記載の保温用耳当て。
【請求項１６】
前記第１フレーム部材の前記バンド部分上の前記複数の突起は、前記第２フレーム部材の前記バンド部分上の前記複数の突起と係合するよう構成されている、請求項１５に記載の保温用耳当て。
【請求項１７】
前記第１フレーム部材の前記バンド部分上の前記複数の突起は、前記第２フレーム部材の前記バンド部分上の前記複数の突起と係合するよう構成されており、前記第３フレーム部材は独自のバンド部分を含み、前記第３フレーム部材の前記バンド部分は、前記第２フレーム部材の前記バンド部分上の前記複数の突起と係合するよう構成されている複数の突起を含む、請求項１５に記載の保温用耳当て。
【請求項１８】
前記第１フレーム部材の前記バンド部分は前記第１フレーム部材の前記耳フレーム部分に連結されるよう構成されており、前記第２フレーム部材の前記バンド部分は前記第２フレーム部材の前記耳フレーム部分に連結されるよう構成されている、請求項１５に記載の保温用耳当て。
【請求項１９】
保温用耳当てフレームを組み立てる方法であって、該保温用耳当てフレームは、通路と突起を備えた第１フレーム部材と、複数の突起を備えた第２フレーム部材と、通路と突起を備えた第３フレーム部材とを含んでおり、前記方法は、
第２フレーム部材を第１フレーム部材通路の中へ挿通するステップと、
第１フレーム部材上の突起を第２フレーム部材上の複数の突起と係合させるステップと、
第２フレーム部材と第３フレーム部材とを連結させるステップとを含む方法。
【請求項２０】
第２フレーム部材と第３フレーム部材との前記連結は、
第２フレーム部材を第３フレーム部材通路の中へ挿通するステップと、
第３フレーム部材上の突起を第２フレーム部材上の複数の突起と係合させるステップとを含む、請求項１９に記載の方法。
【請求項２１】
第１フレーム部材は複数の突起を含み、
第１フレーム部材の複数の突起を第２フレーム部材の複数の突起と係合させるステップをさらに含む、請求項１９に記載の方法。
【請求項２２】
第１フレーム部材は複数の突起を含み、第２フレーム部材は複数の突起を含み、
第１フレーム部材の複数の突起を第２フレーム部材の複数の突起と係合させるステップをさらに含み、第２フレーム部材と第３フレーム部材との前記連結には第２フレーム部材の複数の突起と第３フレーム部材の複数の突起との係合を含む、請求項１９に記載の方法。
【請求項２３】
保温用耳当てキットであって、
第１耳フレームと、
第２耳フレームと、
独自の第１端部と第２端部を有する第１バンドであって、前記第１バンドの前記第１端部は前記第１耳フレームに連結されるよう構成され、前記第１バンドの前記第２端部は前記第２耳フレームに連結されるよう構成されている第１バンドと、
独自の第１端部と第２端部を有する第２バンドであって、前記第２バンドの前記第１端部は前記第１耳フレームに連結されるよう構成され、前記第２バンドの前記第２端部は前記第２耳フレームに連結されるよう構成されている第２バンドとを含み、
前記第２バンドは前記第１バンドと交換可能である、
保温用耳当てキット。
【請求項２４】
独自の第１端部と第２端部を有する第３バンドであって、前記第３バンドの前記第１端部は前記第１耳フレームに連結されるよう構成され、前記第３バンドの前記第２端部は前記第２耳フレームに連結されるよう構成されている第３バンドをさらに含む、請求項２３に記載の、保温用耳当てキット。
【請求項２５】
前記第１バンドがある長さを有し、前記第２バンドがある長さを有し、前記第１バンドの前記長さは前記第２バンドの前記長さとは異なる、請求項２３に記載の保温用耳当て。
【請求項２６】
前記第１バンドがある長さを有し、前記第２バンドがある長さを有し、前記第３バンドがある長さを有し、前記第１バンドの前記長さは前記第２バンドの前記長さとは異なり、前記第３バンドの前記長さは前記第１バンドの前記長さおよび前記第２バンドの前記長さとは異なる、請求項２４に記載の保温用耳当て。
【請求項２７】
前記第１耳フレームはアーチ型構造を有する、請求項２３に記載の保温用耳当て。
【請求項２８】
保温用耳当てであって、
複数の膜部分を含み、保温用耳当ての内部を画定するよう前記複数の膜部分が相互につなぎ合わされているシェルと、
前記内部に挿入されるよう構成されたフレームであって、前記フレームは、
第１端部と第２端部を備えたバンドと、
前記バンドの前記第１端部に連結されるよう構成され、アーチ型構造を有する第１耳フレーム部材と、
前記バンドの前記第２端部に連結されるよう構成された第２耳フレーム部材とを含むフレームとを含む、保温用耳当て。
【請求項２９】
前記第２耳フレーム部材がアーチ型構造を有する、請求項２８に記載の保温用耳当て。
【請求項３０】
保温用耳当てであって、
外周部を画定する外膜であって、前記外膜は第１面と第２面とを有し、前記第２面は前記外膜の前記第１面の反対側である外膜と、
外周部を画定する内膜であって、前記内膜は第１面と第２面とを有し、前記内膜の前記第２面は前記内膜の前記第１面の反対側である内膜とを含むシェルであって、
前記内膜第１面は前記外膜第１面に第１固定結合部分に沿って取り付けられ、前記内膜第２面は前記外膜第２面に第２固定結合部分に沿って取り付けられ、少なくとも第１固定結合部分の一部と少なくとも第２固定結合部分の一部とが保温用耳当ての内部に配置されている、シェルと、
前記シェルに挿入されるよう構成されたフレームと
を含む保温用耳当て。
【請求項３１】
前記第１固定結合部分は溶接部を含む、請求項３０に記載の保温用耳当て。
【請求項３２】
前記フレームはバンド部材と第１耳フレーム部材と第２耳フレーム部材とを含み、前記第１耳フレーム部材は前記バンド部材に固定して連結され、前記第２耳フレーム部材は前記バンド部材に固定して連結される、請求項３０に記載の保温用耳当て。
【請求項３３】
前記第１耳フレーム部材は前記バンド部材に溶接されている、請求項３２に記載の保温用耳当て。
【発明の詳細な説明】
【技術分野】
【０００１】
発明の背景
本発明は保温用耳当て装置に関する。より具体的には、本発明は保温用耳当ておよび保温用耳当てフレームを形成する器具および方法に関する。
【発明の開示】
【課題を解決するための手段】
【０００２】
発明の概要
１つの実施形態では、保温用耳当ては一組の膜とフレームを備えている。膜は相互につなぎ合わされ、内部にフレームが挿入されるシェルを形成する。別の実施形態では、保温用耳当ては単一膜とフレームを備えている。単一膜は、内部にフレームが挿入されるシェルを形成するよう、折り返されあるいは構成される。１つの実施形態では、フレームは単一フレーム部材である。別の実施形態では、フレームは複数の構成要素を含む。
【発明を実施するための最良の形態】
【０００３】
発明の詳細な説明
１つの実施形態では、保温用耳当ては一組の膜とフレームを備えている。膜は相互につなぎ合わされ、内部にフレームが挿入されるシェルを形成する。別の実施形態では、保温用耳当ては単一膜とフレームを備えている。単一膜は、内部にフレームが挿入されるシェルを形成するよう、折り返されあるいは構成される。１つの実施形態では、フレームは単一フレーム部材である。別の実施形態では、フレームは複数の構成要素を含む。
【０００４】
図１は、本発明の実施形態による保温用耳当ての組み立てに使用する一組の膜を図示している。図１に示すとおり、保温用耳当てシェル１０は、第１耳当て膜１００と、第２耳当て膜１１０と、中間膜１２０と、外膜１３０とで組み立てることができる。膜１００〜１３０は、保温機能を提供する一方でさらに装着者の肌にとって心地よい様々なタイプの素材から形成可能である。例えば、膜１００〜１３０は、フリース、ウール、綿、発泡体、および／またはネオプレンなどから形成可能である。
【０００５】
図２は、組み立て工程の中間ステップにおける、図１の保温用耳当てシェルの組み合わせ方を図示している。保温用耳当てシェル１０は、膜１００〜１３０の組み合わせを含む。この組み合わせ方では、膜１００〜１３０は互いに隣接して配置される。
【０００６】
図示された実施形態では、保温用耳当てシェル１０は、まず第１耳当て膜１００と第２耳当て膜１１０を、外膜１３０の上に配置して組み立てることができる。図２に示す組み合わせ方では、中間膜１２０は、外膜１３０と耳当て膜１００と耳当て膜１１０のセットの一番上に置くことができる。耳当て膜１００、１１０および中間膜１２０は、特定の方法で順序立てられたように外膜１３０の上に互いに載せてあるが、ここに図示される膜の集合体の特定の向きは重要ではない。膜１００〜１３０の組み合わせは、保温用耳当てシェル１０の外周部に沿ってつなぎ目１４１を介してつなぎ合わせまたは貼り合わせることができる。
【０００７】
膜１００〜１３０の組み合わせは、保温用耳当てシェル１０の外周部に沿ってつなぎ合わせもしくは貼り合わせ可能で、縁取り（図示せず）で覆われる。図２に図示する膜の組み立ての別の実施形態では、中間膜１２０は外膜１３０の上に配置可能で、耳当て膜１００、１１０は中間膜１２０と外膜１３０の上に配置可能である。
【０００８】
膜を相互に固着するには、多様なつなぎ合わせや加工が使用できる。例えば図２に図示された実施形態に戻って述べると、耳当て膜１００、１１０および中間膜１２０の部分は、外膜１３０に綴じ合わせ可能である（can be bound）。耳当て膜１００、１１０、１２０および１３０は相互につなぎ合わせることができる。縫製、綴じ合わせ、あるいは他のあらゆるつなぎ方をどのように組み合わせても使用できる。米国特許出願第０９／５２１，２４１号明細書には、膜の組み立ての例示的方法が開示されており、その開示をその全体を参照してここに援用する。
【０００９】
図３は、図２の保温用耳当てシェルの断面図を図示している。図示された実施形態では、各膜はその特定の膜の外周部の部分に沿った周縁部を含んでいる。例えば、耳当て膜１００は周縁部１０２を含み、耳当て膜１１０は周縁部１１２を含み、中間膜１２０は周縁部１２２、１２４を含み、外膜１３０は周縁部１３２、１３４を含む。中間膜１２０と外膜１３０は互いに隣接して配置され、それによって周縁部１２２、１２４は外膜１３０の対応する周縁部１３２、１３４に隣接する。中間膜１２０の周縁部１２２は、外膜１３０の周縁部１３２と揃えて並べられる。同様に、中間膜１２０の周縁部１２４は、外膜１３０の周縁部１３４と揃えて並べられる。他の膜もしくは膜部分の対応する周縁部も、それぞれ隣接して配置される。
【００１０】
図示された実施形態では、米国特許出願第０９／５２１，２４１号明細書に開示されるとおり、膜の周縁部は相互につなぎ合わされ、膜は裏返しにされる。
【００１１】
裏返しにした保温用耳当ての実施形態の平面図が、図４に図示されている。図のように、膜の周縁部と膜のあらゆるつなぎ部分は、保温用耳当てシェルの外部からは見えず、保温用耳当てシェルの内部に置かれる。
【００１２】
図５は、図４の保温用耳当てシェルの断面図を図示している。図示された実施形態では、膜を図４および５に図示する位置へ裏返す前に、互いに隣接する膜の対応する周縁部を相互に固定してつなぎ合わせる。例えば、周縁部１２２と１３２とを相互につなぎ合わせるかまたは綴じ合わせ、固定結合部分１４６を形成する。同様に、周縁部１２４と１３４とを相互につなぎ合わせ、固定結合部分１４８を形成する。「固定結合部分」という用語は、引っ張ってばらばらすると（pulled apart）膜が損傷するようなあらゆるタイプの結合もしくは接着（connection or attachment）を含む。耳当て膜１００、１１０は、中間膜１２０と外膜１３０に同様につなぎ合わされる。
【００１３】
別の実施形態では、互いに隣接する膜の対応する周縁部は、取り外し可能に相互につなぎ合わされる。例えば、周縁部は、フックと輪の締結具（loop fasteners）、スナップ等の嵌め合わせ連結具を使用して相互につなぎ合わせることができる。
【００１４】
図示された実施形態では、膜１００、１１０、１２０および１３０を、高周波溶接（radiofrequency welding）を使用して相互につなぎ合わせ、固定結合部分１４６、１４８を形成する。その結果、固定結合部分１４６は中間膜周縁部１２２と外膜周縁部１３２とをつなぎ合わせる溶接部を含む。同様に、固定結合部分１４８は、中間膜周縁部１２４と外膜周縁部１３４とをつなぎ合わせる溶接部を含む。別の実施形態では、膜を相互につなぎ合わせるあらゆるタイプの溶接または他の任意の加工を使用して、膜１００、１１０、１２０、１３０を相互につなぎ合わせてもよい。
【００１５】
一度膜が相互につなぎ合わされると、上述したように、図４および５に示すとおり、膜は裏返しにされる。図に示すとおり、固定結合部分１４６、１４８は、保温用耳当てシェルの内部１４０内に配置される。
【００１６】
図６は、本発明の別の実施形態による保温用耳当ての組み立てに使用する別のシェルを図示している。内膜１５０は、耳部分１５２、１５４と、中間部分１５６とを含む。外膜１６０は、耳部分１６２、１６４と、中間部分１６６とを含む。内膜１５０と外膜１６０は、例えば高周波溶接等を含むどのような技術を使用してつなぎ合わせてもよい。
【００１７】
図７は、本発明の別の実施形態による保温用耳当ての組み立てに使用する膜を図示している。図１に示す外膜１３０と中間膜１２０と同様に、図７は、外側部分１７２と中間部分１７８とを含む、複数の部分を有する膜１７０を図示している。保温用耳当てシェルは次のように組み合わせることができる。第１に、耳当て膜（例えば、耳当て膜１００、１１０。図７には図示せず）は、外側部分１７２の対応部分1７４、１７６にそれぞれ配置することができる。それから中間部分１７８は、外側部分１７２および耳当て膜の上に線１７７に沿って折り返すことができる。その後まとめられた外周部は、綴じ合わせ、溶接、あるいは縫製が可能で、米国特許出願第０９／５２１，２４１号明細書に記載のように膜を裏返しにできる。
【００１８】
図７に示す膜の組み立ての別の実施形態では、膜は裏返しにされない。例えば、中間部分１７８は外側部分１７２の上に折り返し可能で、次に耳当て膜は外側部分１７２と中間部分１７８の上に配置される。まとめられた外周部は、綴じ合わせ、溶接、もしくは縫製可能である。
【００１９】
図８は、本発明の別の実施形態による保温用耳当ての組み立てに使用する膜を図示している。図１に示す耳当て膜１００、耳当て膜１１０、中間膜１２０および外膜１３０と同様に、図８は、耳部分１９０と、耳部分１９２と、中間部分１８８と、外側部分１８２とを有する膜１８０を図示している。
【００２０】
図８の図示された実施形態では、膜部分は次のように組み合わせることができる。第１に、耳部分１９０は、外側部分１８２の対応部分１８４の上に線１８７に沿って折り返すことができる。同様に、耳部分１９２は、外側部分１８２の対応部分１８６の上に線１８９に沿って折り返すことができる。中間部分１８８は、外側部分１８２と、耳部分１９０、１９２の上に線１８５に沿って折り返すことができる。まとめられた外周部は、綴じ合わせ、溶接、もしくは縫製可能で、膜は裏返しにできる。
【００２１】
図８の膜の組み立ての別の実施形態では、膜は裏返しにされない。例えば、中間部分１８８は外側部分１８２の上に線１８５に沿って折り返し可能である。耳部分１９０、１９２は、外側部分の対応部分１８４、１８６の上にそれぞれ折り返し可能である。まとめられた外周部は、綴じ合わせ、溶接、もしくは縫製可能である。
【００２２】
図１に示す別々に分かれている膜よりも、ある一定の膜が共に一体形成され、折り返されるようになっている図７および８の方が、バリエーションがあり得る。例えば、他の実施形態では、耳当て膜は１つだけ外膜と一体形成されるか、２つの耳当て膜が外膜と一体形成されるか、または１つの耳当て膜と中間膜だけが外膜と一体形成される。
【００２３】
別の実施形態では、膜は折り目全体（図７の線１７７のような）に沿ってよりもむしろ様々な位置（例えば、不連続的配置）で一体となるよう形成可能である。別の実施形態では、膜は膜の外側部分に対して様々な位置で一体となるよう形成可能である。例えば耳部分が外側部分の下部で一体となるように（図８に示す）形成されるよりも、耳部分は、例えば外側部分１８２の側部１８２Ａ、１８２Ｂのような他の位置で、外側部分と一体となるように形成可能である。可能性のある様々な位置とは、膜の部分（中間部分および／または耳部分）が膜の外側部分の上に折り返されて保温用耳当てシェルを適切に形成する位置である。
【００２４】
図９および１０は、本発明の別の実施形態による保温用耳当ての組み立てに使用するフレームを図示している。フレーム２００は、バンド２１０と耳フレーム部材２２０、２３０とを含む。バンド２１０は、従来技術を使用して耳フレーム部材２２０、２３０に連結することができ、保温用耳当て用フレームを形成する。
【００２５】
図示された実施形態では、バンド２１０は、端部２１２、２１４を備えた細長い部材である。図９に示すように、耳フレーム部材２２０は開口部２２２を画定し（defines an opening 222）、端部２２４を含んでいる。同様に、耳フレーム部材２３０は開口部２３２を画定し、端部２３４を含んでいる。
【００２６】
図１０に示すとおり、耳フレーム部材２２０の端部２２４は、バンド２１０の端部２１２に連結部２４０で連結されている。同様に、耳フレーム部材２３０の端部２３４は、バンド２１０の端部２１４に連結部２４２で連結されている。バンドと耳フレーム部材は、プラスチックのような弾性素材で作られているが、適した素材ならばどんなものを使用してもよい。連結部２４０、２４２は、溶接、圧搾または加熱といったどのような従来の方法を使用して形成してもよい。
【００２７】
図１１〜１３は、本発明の別の実施形態による保温用耳当ての組み立てに使用するフレームを図示している。フレーム３００は、複数の形状状態を選択して使用することができる（selectively disposable in multiple configurations）。フレーム３００は湾曲形状を有しており、下記により詳細を述べるとおり、この形状は特定の状態でのフレーム３００の配置を容易にする。
【００２８】
フレーム３００は、図１１に示すとおり、展開または伸張した状態に（in anexpanded or extended configuration）配置できる。図に示すように、フレーム３００は伸張状態にある間、その長手方向軸に沿って伸張したあるいは直線的な形状を維持する。フレーム３００は、図１３に示すとおり、折畳状態に（ina collapsed configuration）も配置できる。フレーム３００は、折畳状態にある間、容易に収納および／または移送できる。フレーム３００は、使用者が保温用耳当てを装着しているとき、いくつもの中間の状態（図示せず）に配置することができる。
【００２９】
図示された実施形態では、フレーム３００は、中間部分３１０と、中間部分３１０に連結された耳部分３２０、３３０とを含む。この実施形態では、耳部分３２０、３３０は中間部分３１０と一体形成されている。
【００３０】
耳部分３２０は開口部または耳穴開口部（ear-hole aperture）３２２を画定し、耳部分３２０の外周部を画定する外側表面３２４を含む。耳部分３３０は、開口部または耳穴開口部３３２を画定し、耳部分３３０の外周部を画定する外側表面３３４を含む。
【００３１】
図示された実施形態では、フレーム３００は湾曲形状を有する。フレーム３００は、図１２に示すとおり、フレーム３００の全長に沿って延びる軸３４０に対して湾曲している。フレーム３００は軸３４０に対して十分な距離をとって湾曲しており、加えられる圧力次第で伸張状態または折畳状態のいずれかへのフレーム３００のスナップを可能にしている。フレーム３００が折畳状態にあるとき、耳部分３２０、３３０は、図１３に示すように、互いに隣接して配置できる。
【００３２】
図１４は、本発明の別の実施形態による保温用耳当ての組み立てに使用するフレームを図示している。フレーム４００は複数の形状状態を選択して使用できるという点で、フレーム４００は理論的にはフレーム３００に類似している。フレーム４００の各構成要素は湾曲形状を有し、この形状は特定の状態でのフレーム４００の配置を容易にする。フレーム４００は、フレーム３００に類似した、伸張、中間、および折畳状態に配置できる。
【００３３】
図示された実施形態では、フレーム４００は２つのフレーム部材４１０、４２０を含む。この実施形態では、フレーム部材４１０と４２０は構造的に類似している。
【００３４】
フレーム部材４１０は、バンドまたはフレーム部分４１２と、バンド部分４１２に連結された耳部分４１６とを含む。この実施形態では、バンド部分４１２は耳部分４１６に一体形成されている。バンド部分４１２は連結孔４１４を含み、この孔を通して従来型締結具（図示せず）が挿入され、フレーム部材４１０と４２０を相互に連結する。耳部分４１６は、開口部または耳穴開口部４１８を画定する。フレーム部材４１０は、フレーム部材４１０の全長に沿って延びる軸４３０に対して湾曲している。軸４３０はフレーム部材４１０の長手方向軸に対してほぼ平行である。
【００３５】
フレーム部材４２０は、バンドまたはフレーム部分４２２と、バンド部分４２２に連結された耳部分４２６を含む。この実施形態では、バンド部分４２２は耳部分４２６と一体形成されている。バンド部分４２２は連結孔４２４を含み、ここの孔を通して従来型締結具（図示せず）が挿入され、フレーム部材４１０と４２０を相互に連結する。
【００３６】
別の実施形態では、バンド部分とフレーム部材はどれも一体型もしくは組み込み式のスナップ連結子もしくはリベットを含むことができる。この組み合わせ方では、その他のバンド部分とフレーム部材は、連結子もくしはリベットを受ける開口部を含むことになる。
【００３７】
図１４に戻って述べると、耳部分４２６は、開口部または耳穴開口部４２８を画定する。フレーム部材４２０は、フレーム部材４２０の全長に沿って延びる軸４３２に対して湾曲している。軸４３２はフレーム部材４２０の長手方向軸に対してほぼ平行である。
【００３８】
図１５は、本発明の別の実施形態による保温用耳当ての組み立てに使用するフレームを図示している。フレーム５００は複数の形状状態を選択して使用できるという点で、フレーム５００は理論的にはフレーム３００および４００に類似している。フレーム５００の各構成要素は湾曲形状を有し、この形状は特定の状態でのフレーム５００の配置を容易にする。フレーム５００は、フレーム３００および４００に類似した、伸張、中間、および折畳状態に配置できる。
【００３９】
図示された実施形態では、フレーム５００は、バンド５１０と、耳フレーム部材または部分５２０、５３０とを含む。バンド５１０は、耳フレーム部材５２０、５３０に連結され、保温用耳当て用のフレーム５００を形成する。
【００４０】
バンド５１０は、端部５１２、５１６と、端部５１２、５１６にそれぞれ隣接する連結孔５１４、５１８とを含む。従来型締結具は、連結孔５１４、５１８を通ってバンド５１０を耳フレーム部材５２０、５３０に連結する。バンド５１０は、バンド５１０の全長に沿って延びる軸に対して湾曲している。
【００４１】
耳フレーム部材５２０は開口部または耳穴開口部５２２を画定し、連結孔５２６を備えた端部５２４を含む。耳フレーム部材５２０は、耳フレーム部材５２０の全長に沿って延びる軸に対して湾曲している。同様に、耳フレーム部材５３０は開口部または耳穴開口部５３２を画定し、連結孔５３６を備えた端部５３４を含む。耳フレーム部材５３０は、耳フレーム部材５３０の全長に沿って延びる軸に対して湾曲している。
【００４２】
図１１〜１５では１片、２片および３片からなる保温用耳当てフレームを図示しているが、保温用耳当てフレームが有する相互に連結される構成要素はいくつでもよい。図１１〜１５に図示する実施形態における構成要素は湾曲しているものとして描かれているが、保温用耳当てフレームの全ての構成要素が湾曲している必要はない。折り畳み可能な保温用耳当てフレームを作成するには、バンド領域だけが湾曲していればよい。例えば、図１５に示すフレーム５００では、バンド５１０が湾曲している場合、前述のとおり、耳フレーム部材５２０、５３０は湾曲している必要はない。保温用耳当てフレームを作成するために、湾曲および真っ直ぐなフレーム構成部品の様々な変形や組み合わせで、組み立ててもよい。
【００４３】
図１６〜１７は、本発明の別の実施形態による保温用耳当ての組み立てに使用するフレームを図示している。フレーム６００は、フレーム６００の全体の長さを調節するために互いに相対的に移動する数個の構成要素を含んでいる。図示された実施形態では、フレーム６００は、バンド６１０と、バンド６１０に対して摺動可能に連結できる耳フレーム部材６２０、６３０とを含む。
【００４４】
外側表面６１２と内側表面６１４と端部６１６、６１８とを備えたバンド６１０。図示された実施形態では、バンド６１０は、内側表面６１４上に形成されたうね状の隆起（ridges）または突起６１５を含んでいる。別の実施形態では、バンドの内側表面は隆起や突起を一切含まない。こうした実施形態では、バンドと耳フレーム部材は摩擦によって相互に保持される。
【００４５】
図１６〜１７で図示された実施形態に戻って述べると、耳フレーム部材６２０は、開口部６２１を画定する耳フレーム部分６２３と、端部６２２を有するバンド部分６２５とを含んでいる。突起６２４は端部６２２の直近に配置される。耳フレーム部材６２０は、開口部６２８を形成する通路６２６を含む。バンド６１０を耳フレーム部材６２０に連結するために、端部６１８は通路６２６の開口部６２８の中に挿通される。突起６２４はバンド６１０上の隆起６１４と係合して、耳フレーム部材６２０をバンド６１０に沿って特定の位置に保持する。
【００４６】
図示された実施形態では、耳フレーム部材６３０は、開港部６３１を画定する耳フレーム部分６３３と、端部６３２を有するバンド部分６３５とを含む。突起６３４は端部６３２の直近に配置される。耳フレーム部材６３０は開口部６３８を形成する通路６３６を含む。バンド６１０を耳フレーム部材６３０に連結するために、端部６１６は通路６３６の開口部６３８の中に挿通される。突起６３４はバンド６１０上の隆起６１４と係合して、耳フレーム部材６３０をバンド６１０に沿って特定の位置に保持する。
【００４７】
別の実施形態では、バンドが耳フレーム部材を挿入するための通路を１つ以上含んでいてもよい。こうした実施形態では、それぞれの耳フレーム部材は通路を有していない。別の実施形態では、バンドもしくは耳フレーム部材に形成あるいは結合された通路はいずれも、バンドもしくは耳フレーム部材の内側表面上あるいは外側表面上に配置してよい。
【００４８】
図１８〜１９は、本発明の別の実施形態による保温用耳当ての組み立てに使用するフレームを図示している。フレーム７００は、フレーム７００の全体の長さを調節するために互いに相対的に移動する数個の構成要素を含んでいる。図示された実施形態では、フレーム７００は、バンド７１０と、連結バンド７２０、７３０と、耳フレーム部材７６０、７７０とを含む。連結バンド７２０、７３０は、バンド７１０に対して摺動可能に連結することができる。
【００４９】
外側表面７１２と内側表面７１４と端部７１６、７１８とを備えたバンド７１０。図示された実施形態では、バンド７１０は、内側表面７１４上に形成されたうね状の隆起７１５を含んでいる。別の実施形態では、バンドの内側表面は一切隆起のない滑らかな面である。こうした実施形態では、バンドと連結バンドは、摩擦によって相互に保持される。
【００５０】
図１８〜１９に図示された実施形態に戻って述べると、連結バンドまたはバンド部分７２０は、内側表面７２６と、外側表面７２８と、端部７２２、７２４とを含む。連結バンド７２０は外側表面７２８上に形成された隆起７３０を含む。また連結バンド７２０は、開口部７３４を画定する通路７３２も含む。連結孔７３６は端部７２２に近くに配置されている。連結孔７３６には従来型締結具７８２を挿通して、連結バンド７２０と耳フレーム部材７６０とを連結できる。連結バンド７２０にバンド７１０を連結するため、端部７１６が通路７３２の開口部７３４に挿通される。連結バンド７２０上の隆起７３０はバンド７１０上の隆起７１５と係合して、連結バンド７２０をバンド７１０に沿って特定の位置に保持する。
【００５１】
図示された実施形態では、連結バンドまたはバンド部分７４０は、内側表面７４６と、外側表面７４８と、端部７４２、７４４とを含む。連結バンド７４０は外側表面７４８上に形成された隆起７５０を含む。また連結バンド７４０は、開口部７５４を画定する通路７５２も含む。連結孔７５６は端部７４２に近くに配置される。従来型締結具７８４を連結孔７５６に挿通して、連結バンド７４０と耳フレーム部材７７０とを連結できる。バンド７１０を連結バンド７４０に連結するために、端部７１８が通路７５２の開口部７５４に挿通される。連結バンド７４０上の隆起７５０はバンド７１０上の隆起７１５と係合して、連結バンド７４０をバンド７１０に沿って特定の位置に保持する。
【００５２】
別の実施形態では、バンドが、連結バンドを挿通する１つ以上の通路を含んでいてもよい。こうした実施形態では、それぞれの連結バンドは通路を有しない。別の実施形態では、バンドもしくは連結バンドに形成あるいは結合された通路はいずれも、バンドもしくは連結バンドの内側表面あるいは外側表面上に配置してよい。
【００５３】
耳フレーム部材７６０は開口部７６１を画定し、端部７６２を含んでいる。耳フレーム部材７６０は、端部７６２の近くに配置された連結孔７６４を含む。連結孔７３６と７６４とには従来型締結具７８２を挿通でき、連結バンド７２０と耳フレーム部材７６０を相互に連結できる。
【００５４】
耳フレーム部材７７０は開口部７７１を画定し、端部７７２を含んでいる。耳フレーム部材７７０は、端部７７２の近くに配置された連結孔７７４を含む。連結孔７５６、７７４とには従来型締結具７８４を挿通でき、連結バンド７４０と耳フレーム部材７７０とを相互に連結できる。
【００５５】
耳フレーム部材７６０、７７０は、締結具を使用して連結バンド７２０、７４０と連結されているが、あらゆる従来型の連結方法または技術も使用可能である。
【００５６】
図２０は、本発明の別の実施形態による保温用耳当ての組み立てに使用するフレームのセットもしくは組み合わせたものを含んでいる。フレームセット８００は、数個のバンド８１０、８２０および８３０と、耳フレームもしくは耳フレーム部材８４０、８５０とを含む。各バンド８１０、８２０および８３０は、耳フレーム部材８４０、８５０に連結可能である。
【００５７】
図示された実施形態では、バンド８１０、８２０、８３０は異なる長さを有し、保温用耳当てフレームを組み立てるために交換可能である。該フレームは、保温用耳当てシェル内へ挿入され、保温用耳当てを形成する。長さの異なるバンド８１０、８２０、８３０によって、使用者は保温用耳当ての全体的長さを変えることが可能となる。同様に、頭の大きさの異なる複数の使用者が、長さの異なるバンド８１０〜８３０を交換することで、同じ保温用耳当てを使用できる。
【００５８】
１つの組み合せ方では、バンド８１０は端部８１２、８１４を含んでおり、これら端部は耳フレーム部材８４０、８５０の端部８４２、８５２にそれぞれ連結可能である。別の組み合わせ方では、バンド８２０は端部８２２、８２４を含んでおり、これら端部はそれぞれ耳フレーム部材端部８４２、８５２に連結可能である。別の組み合わせ方では、バンド８３０は、耳フレーム部材端部８４２、８５２にそれぞれ連結可能な端部８３２、８３４を含んでいる。端部は、従来型締結具または他の方法を使用して連結してもよい。例えば、バンドの取り外しと別のバンドの耳フレーム部材への再連結を容易にするリリース機構（release-type mechanism）を使用して連結してもよい。
【００５９】
図２１〜２２は、本発明の別の実施形態による保温用耳当ての組み立てに使用するフレームを図示している。フレーム９００は、数個のバンド９１０、９２０と耳フレーム部材９３０、９４０とを含む。耳フレーム部材９３０はバンド９１０に連結され、耳フレーム部材９４０はバンド９２０に連結される。バンド９１０と９２０は互いに摺動可能に連結されている。
【００６０】
図示された実施形態では、バンド９１０は、端部９１２、９１４と、端部９１４の近くに配置された通路９１６（図２２参照）とを含む。通路９１６はバンド９２０が挿通する開口部９１８を含む。バンド９２０は、端部９２２、９２４と、端部９２４の近くに配置された通路９２６とを含む。通路９２６は、バンド９１０が挿通する開口部９２８を含む。
【００６１】
耳フレーム部材９３０は端部９３２を含み、開口部９３４を画定する。端部９３２は、締結具（図示せず）のようないずれかの従来技術を使用して、バンド９１０の端部９１２に連結される。同様に、耳フレーム部材９４０は端部９４２を含み、開口部９４４を画定する。端部９４２は、締結具のようないずれかの従来技術を使用して、バンド９２０の端部９２２に連結される。
【００６２】
フレーム９００を組み立てるのには、様々な方法を使用してよい。例えば、バンド９１０の端部９１２を通路９２６の開口部９２８の中に挿通すると同時に、バンド９２０の端部９２２を通路９１６の開口部９１８に挿通する。耳フレーム部材９３０、９４０は、バンド９１０、９２０の端部９１２、９２２にそれぞれ連結される。開口部９１８と９２８は、バンド９１０と９２０を使用者が動かした後その開口部内で摩擦によって保持できるようなサイズである。
【００６３】
図２２に示すように、各バンド９１０、９２０は、ほぼ正方形の断面を有する。図示された実施形態では、バンド９１０、９２０は同一の構造を有する。バンド９１０の幅（ｗ）、高さ（ｈ）、長さ（ｌ）寸法は、図２２に示されている。バンド９１０のサイズと形は変更しても良い。この実施形態では、各バンドの幅（ｗ）は各バンドの高さ（ｈ）とほぼ同じである。別の実施形態では、各バンドの幅（ｗ）は各バンドの高さ（ｈ）より大きくてもよい。さらに、別の実施形態では、バンド９１０はバンド９２０とは異なる寸法を有してもよい。
【００６４】
保温用耳当て用の従来型バンドの多くは長方形の断面を有する。バンド９１０、９２０は、従来型バンドより高さが低く、幅が狭く、それによって原材料の量と保温用耳当てフレーム９００全体の重さを削減している。フレーム９００は、保温用耳当てを組み立てるのに使用できる軽量かつ低コストのフレームである。
【００６５】
フレームのサイズと形および使用される特定のフレーム素材は、強度、弾力性、耐久性といった、保温用耳当てフレームの特質に関係する関連因子である。保温用耳当てフレームの強度は、装着者の頭上で保温用耳当てを支える構造を維持するフレームの性能に影響を及ぼす。フレームが装着者の上で安定を保つことができないほど保温用耳当てフレームのサイズが縮小される場合は、フレームの他の特性を変更することもできる。例えば、フレームの形状を、強度を増した構造に変更してもよい。その替わりに、原材料を硬度と剛性を増した構造に変更してもよい。
【００６６】
図２３は、本発明の別の実施形態による保温用耳当ての組み立てに使用する保温用耳当て部材を図示している。図示された実施形態では、完全な円もしくは楕円構造とは対照的に耳フレーム部材１０００はアーチ型の構造を有する。耳フレーム部材１０００は、端部１００２、１００４を含む。端部１００４は連結開口部１００８を画定する張り出し部１００６を含み、この開口部１００８は耳あて部材１０００をバンドあるいはフレームの他の部分に連結するのに使用できる。
【００６７】
１つの実施形態では、１つまたは２つの耳フレーム部材１０００を、図２１および２２に示したフレーム９００と共に使用することができる。耳フレーム部材１０００は耳フレーム部材９３０、９４０より原料が少ないので、フレーム９００の重量は一層軽減される。
【００６８】
本願で開示した保温用耳当てフレームの構成要素はプラスチックで作られているが、装着者の頭上で保温用耳当てを支えるのに十分な硬度または剛性を有する適した素材であれば、どのような素材を使用してもよい。
【００６９】
別の実施形態では、保温用耳当てフレームの構成要素は、フレーム、フレーム部材、フレーム部分、バンド、接続バンド、バンド部分およびバンド部材を含み、断面はどのような形状でもよい。例えば、いずれの保温用耳当てフレーム構成要素の断面も、正方形、長方形、円、楕円、弧、あるいは他の幾何学的形状に類似するものであって構わない。
【００７０】
本発明を詳細にわたり具体的な本発明の実施形態を参照しつつ説明してきたが、これについての様々な変更や修正が本発明の精神と範囲から逸脱することなくなされ得ることは、当業者にとって明らかであろう。よって本発明は、添付の請求の範囲およびその等価物の範囲内であることを条件に、本発明の修正および変更も対象として含むことを意図するものである。
【図面の簡単な説明】
【００７１】
【図１】本発明の実施形態による保温用耳当ての組み立てに使用する一組の膜の図である。
【図２】組み立て工程の中間ステップにおける、図１の保温用耳当てシェルの組み合わせ方の図である。
【図３】図２の保温用耳当てシェルの図２上の線３−３に沿った断面図である。
【図４】本発明の実施形態による保温用耳当てシェルの組み合わせ方の図である。
【図５】図４の保温用耳当てシェルの図４上の線５−５に沿った断面図である。
【図６】本発明の別の実施形態による保温用耳当ての組み立てに使用する一組の膜の図である。
【図７】本発明の別の実施形態による保温用耳当ての組み立てに使用する膜の図である。
【図８】本発明の別の実施形態による保温用耳当ての組み立てに使用する膜の図である。
【図９】本発明の別の実施形態による保温用耳当ての組み立てに使用するフレームの分解平面図である。
【図１０】図９のフレームの組み立て平面図である。
【図１１】本発明の実施形態による保温用耳当ての組み立てに使用するフレームの伸張状態の斜視図である。
【図１２】図１１のフレームの図１１上の線１２−１２に沿った断面図である。
【図１３】本発明の別の実施形態による図１１のフレームの折畳状態の図である。
【図１４】本発明の別の実施形態による保温用耳当ての組み立てに使用するフレームの分解斜視図である。
【図１５】本発明の別の実施形態による保温用耳当ての組み立てに使用するフレームの分解斜視図である。
【図１６】本発明の別の実施形態による保温用耳当ての組み立てに使用するフレームの組み立て側面図である。
【図１７】図１６のフレームの分解斜視図である。
【図１８】本発明の別の実施形態による保温用耳当ての組み立てに使用するフレームの組み立て側面図である。
【図１９】図１８のフレームの分解斜視図である。
【図２０】本発明の別の実施形態による保温用耳当ての組み立てに使用するフレームセットの図である。
【図２１】本発明の別の実施形態による保温用耳当ての組み立てに使用するフレームの斜視図である。
【図２２】図２１のフレームのフレーム部材の斜視図である。
【図２３】本発明の別の実施形態による保温用耳当ての組み立てに使用するフレームの耳フレーム部材の斜視図である。
【図１】
2005515828.tif 000003
【図２】
2005515828.tif 000004
【図６】
2005515828.tif 000005
【図４】
2005515828.tif 000006
【図３】
2005515828.tif 000007
【図５】
2005515828.tif 000008
【図７】
2005515828.tif 000009
【図８】
2005515828.tif 000010
【図９】
2005515828.tif 000011
【図１０】
2005515828.tif 000012
【図１１】
2005515828.tif 000013
【図１２】
2005515828.tif 000014
【図１３】
2005515828.tif 000015
【図１４】
2005515828.tif 000016
【図１５】
2005515828.tif 000017
【図１６】
2005515828.tif 000018
【図１７】
2005515828.tif 000019
【図１８】
2005515828.tif 000020
【図１９】
2005515828.tif 000021
【図２０】
2005515828.tif 000022
【図２１】
2005515828.tif 000023
【図２２】
2005515828.tif 000024
【図２３】
2005515828.tif 000025
【手続補正書】
【提出日】平成15年10月23日(2003.10.23)
【手続補正１】
【補正対象書類名】特許請求の範囲
【補正対象項目名】全文
【補正方法】変更
【補正の内容】
【特許請求の範囲】
【請求項１】
シェルと前記シェルに挿入するよう構成されたフレームとを備えた保温用耳当てであって、    前記フレームは第１耳部分と第２耳部分とを含み、前記フレームは伸張状態と折畳状態とを選択して使用可能であり、前記第１耳部分は前記折畳状態では前記第２耳部分に隣接し、前記フレームは長手方向軸を有し、伸張状態で前記長手方向軸にほぼ平行な軸に対して前記フレームが湾曲している保温用耳当て。
【請求項２】
前記フレームは第１バンド部材と第２バンド部材とを含み、前記第１バンド部材は前記第２バンド部材に連結され、前記第１バンド部材は第１フレーム部分と前記第１耳部分とを含み、前記第２バンド部材は第２フレーム部分と前記第２耳部分とを含む、請求項１に記載の保温用耳当て。
【請求項３】
前記フレームは第１バンド部材と第２バンド部材とを含み、前記第１バンド部材は前記第２バンド部材に連結され、前記第１バンド部材は第１フレーム部分と前記第１耳部分とを含み、前記第２バンド部材は第２フレーム部分と前記第２耳部分とを含み、前記第１フレーム部分は前記第２フレーム部分に連結されるよう構成されている、請求項１に記載の保温用耳当て。
【請求項４】
前記フレームは第１バンド部材と第２バンド部材と第３バンド部材とを含み、前記第１バンド部材は前記第２バンド部材に連結されるよう構成され、前記第２バンド部材は前記第３バンド部材に連結されるよう構成されている、請求項１に記載の保温用耳当て。
【請求項５】
前記フレームは第１バンド部材と第２バンド部材と第３バンド部材とを含み、前記第１バンド部材は前記第２バンド部材に連結されるよう構成され、前記第２バンド部材は前記第３バンド部材に連結されるよう構成され、前記第１バンド部材は前記第１耳部分を含み、前記第２バンド部材は前記第２耳部分を含み、前記第３バンド部材は第１フレーム部分を含む、請求項１に記載の保温用耳当て。
【請求項６】
前記第１バンド部材は独自の長手方向軸を有し、前記第２バンド部材は独自の長手方向軸を有し、前記第１バンド部材は前記第１バンド部材の前記長手方向軸にほぼ平行な軸に対して湾曲しており、前記第２バンド部材は前記第２バンド部材の前記長手方向軸にほぼ平行な軸に対して湾曲している、請求項５に記載の保温用耳当て。
【請求項７】
前記第１耳部分は第１耳穴開口部を画定する第１フレーム部分を含み、前記第２耳部分は第２耳穴開口部を画定する第２フレーム部分を含む、請求項１に記載の保温用耳当て。
【請求項８】
前記フレームは長手方向軸を有し、前記フレームが前記折畳状態にあるとき前記フレームは前記長手方向軸にほぼ直角な軸に対して湾曲し、前記フレームが前記伸張状態にあるとき前記フレームは前記長手方向軸に沿って伸長する、請求項１に記載の保温用耳当て。
【請求項９】
前記フレームは前記伸張状態にある間は前記長手方向軸に沿って伸長した形状を維持する、請求項１に記載の保温用耳当て。
【請求項１０】
シェルと前記シェルに挿入するよう構成されたフレームとを備えた保温用耳当てであって、前記フレームは、    第１フレーム部材であって、通路と前記第１フレーム部材通路に隣接して配置された突起とを含む第１フレーム部材と、    第２フレーム部材であって、複数の突起を含む第２フレーム部材と、    第３フレーム部材であって、通路と前記第３フレーム部材通路に隣接して配置された突起とを含む第３フレーム部材とを含み、前記第１フレーム部材通路は前記第２フレーム部材を受け入れるよう構成され、前記第３フレーム部材通路は前記第２フレーム部材を受け入れるよう構成され、前記第１フレーム部材と前記第３フレーム部材とを前記第２フレーム部材に連結すべく、前記第１フレーム部材突起と前記第３フレーム部材突起とが前記複数の突起と係合するよう構成される保温用耳当て。
【請求項１１】
前記第２フレーム部材は内側表面を有し、前記複数の突起が前記内側表面に配置されている、請求項１０に記載の保温用耳当て。
【請求項１２】
前記第１フレーム部材はバンド部分と耳フレーム部分とを含み、前記バンド部分は複数の突起を含み、前記第１フレーム部材通路が前記バンド部分に配置されている、請求項１０に記載の保温用耳当て。
【請求項１３】
前記第１フレーム部材はバンド部分と耳フレーム部分とを含み、前記バンド部分は第１表面と前記第１表面に配置された複数の突起とを含み、前記第１フレーム部材通路が前記バンド部分に配置されている、請求項１０に記載の保温用耳当て。
【請求項１４】
前記第１フレーム部材はバンド部分と耳フレーム部分とを含み、前記第１フレーム部材通路が前記バンド部分に配置され、前記バンド部分は前記耳フレーム部分に連結されるよう構成されている、請求項１０に記載の保温用耳当て。
【請求項１５】
前記第１フレーム部材は独自のバンド部分と独自の耳フレーム部分とを含み、前記第２フレーム部材は独自のバンド部分と独自の耳フレーム部分とを含み、前記第１フレーム部材の前記バンド部分は複数の突起を含み、前記第１フレーム部材通路は前記第１フレーム部材の前記バンド部分上に配置され、前記第２フレーム部材のバンド部分は複数の突起を含み、前記第２フレーム部材通路は前記第２フレーム部材の前記第２バンド部分上に配置される、請求項１０に記載の保温用耳当て。
【請求項１６】
前記第１フレーム部材の前記バンド部分上の前記複数の突起は、前記第２フレーム部材の前記バンド部分上の前記複数の突起と係合するよう構成されている、請求項１５に記載の保温用耳当て。
【請求項１７】
前記第１フレーム部材の前記バンド部分上の前記複数の突起は、前記第２フレーム部材の前記バンド部分上の前記複数の突起と係合するよう構成されており、前記第３フレーム部材は独自のバンド部分を含み、前記第３フレーム部材の前記バンド部分は、前記第２フレーム部材の前記バンド部分上の前記複数の突起と係合するよう構成されている複数の突起を含む、請求項１５に記載の保温用耳当て。
【請求項１８】
前記第１フレーム部材の前記バンド部分は前記第１フレーム部材の前記耳フレーム部分に連結されるよう構成されており、前記第２フレーム部材の前記バンド部分は前記第２フレーム部材の前記耳フレーム部分に連結されるよう構成されている、請求項１５に記載の保温用耳当て。
【請求項１９】
保温用耳当てフレームを組み立てる方法であって、該保温用耳当てフレームは、通路と突起を備えた第１フレーム部材と、複数の突起を備えた第２フレーム部材と、通路と突起を備えた第３フレーム部材とを含んでおり、前記方法は、    第２フレーム部材を第１フレーム部材通路の中へ挿通するステップと、    第１フレーム部材上の突起を第２フレーム部材上の複数の突起と係合させるステップと、    第２フレーム部材と第３フレーム部材とを連結させるステップとを含む方法。
【請求項２０】
第２フレーム部材と第３フレーム部材との前記連結は、    第２フレーム部材を第３フレーム部材通路の中へ挿通するステップと、    第３フレーム部材上の突起を第２フレーム部材上の複数の突起と係合させるステップとを含む、請求項１９に記載の方法。
【請求項２１】
第１フレーム部材は複数の突起を含み、  第１フレーム部材の複数の突起を第２フレーム部材の複数の突起と係合させるステップをさらに含む、請求項１９に記載の方法。
【請求項２２】
第１フレーム部材は複数の突起を含み、第２フレーム部材は複数の突起を含み、  第１フレーム部材の複数の突起を第２フレーム部材の複数の突起と係合させるステップをさらに含み、第２フレーム部材と第３フレーム部材との前記連結には第２フレーム部材の複数の突起と第３フレーム部材の複数の突起との係合を含む、請求項１９に記載の方法。
【請求項２３】
保温用耳当てキットであって、  第１耳フレームと、  第２耳フレームと、  独自の第１端部と第２端部を有する第１バンドであって、前記第１バンドの前記第１端部は前記第１耳フレームに連結されるよう構成され、前記第１バンドの前記第２端部は前記第２耳フレームに連結されるよう構成されている第１バンドと、  独自の第１端部と第２端部を有する第２バンドであって、前記第２バンドの前記第１端部は前記第１耳フレームに連結されるよう構成され、前記第２バンドの前記第２端部は前記第２耳フレームに連結されるよう構成されている第２バンドとを含み、  前記第２バンドは前記第１バンドと交換可能である、保温用耳当てキット。
【請求項２４】
独自の第１端部と第２端部を有する第３バンドであって、前記第３バンドの前記第１端部は前記第１耳フレームに連結されるよう構成され、前記第３バンドの前記第２端部は前記第２耳フレームに連結されるよう構成されている第３バンドをさらに含む、請求項２３に記載の、保温用耳当てキット。
【請求項２５】
前記第１バンドがある長さを有し、前記第２バンドがある長さを有し、前記第１バンドの前記長さは前記第２バンドの前記長さとは異なる、請求項２３に記載の保温用耳当て。
【請求項２６】
前記第１バンドがある長さを有し、前記第２バンドがある長さを有し、前記第３バンドがある長さを有し、前記第１バンドの前記長さは前記第２バンドの前記長さとは異なり、前記第３バンドの前記長さは前記第１バンドの前記長さおよび前記第２バンドの前記長さとは異なる、請求項２４に記載の保温用耳当て。
【請求項２７】
前記第１耳フレームはアーチ型構造を有する、請求項２３に記載の保温用耳当て。
【請求項２８】
保温用耳当てであって、  複数の膜部分を含み、保温用耳当ての内部を画定するよう前記複数の膜部分が相互につなぎ合わされているシェルと、  前記内部に挿入されるよう構成されたフレームであって、前記フレームは、    第１端部と第２端部を備えたバンドと、    前記バンドの前記第１端部に連結されるよう構成され、アーチ型構造を有する第１耳フレーム部材と、    前記バンドの前記第２端部に連結されるよう構成された第２耳フレーム部材とを含むフレームとを含む、保温用耳当て。
【請求項２９】
前記第２耳フレーム部材がアーチ型構造を有する、請求項２８に記載の保温用耳当て。
【請求項３０】
保温用耳当てであって、    外周部を画定する外膜であって、前記外膜は第１面と第２面とを有し、前記第２面は前記外膜の前記第１面の反対側である外膜と、    外周部を画定する内膜であって、前記内膜は第１面と第２面とを有し、前記内膜の前記第２面は前記内膜の前記第１面の反対側である内膜とを含むシェルであって、    前記内膜第１面は前記外膜第１面に第１固定結合部分に沿って取り付けられ、前記内膜第２面は前記外膜第２面に第２固定結合部分に沿って取り付けられ、少なくとも第１固定結合部分の一部と少なくとも第２固定結合部分の一部とが保温用耳当ての内部に配置されている、シェルと、  前記シェルに挿入されるよう構成されたフレームとを含む保温用耳当て。
【請求項３１】
前記第１固定結合部分は溶接部を含む、請求項３０に記載の保温用耳当て。
【請求項３２】
前記フレームはバンド部材と第１耳フレーム部材と第２耳フレーム部材とを含み、前記第１耳フレーム部材は前記バンド部材に固定して連結され、前記第２耳フレーム部材は前記バンド部材に固定して連結される、請求項３０に記載の保温用耳当て。
【請求項３３】
前記第１耳フレーム部材は前記バンド部材に溶接されている、請求項３２に記載の保温用耳当て。
【請求項３４】
保温用耳当てであって、  内側部分を有するシェルと、  前記シェルの内部に配置されるフレームであって、前記フレームは第１耳部分と第２耳部分と中間部分とを含んで一体形成されており、前記フレーム第１耳部分はほぼ円形の形状であり、開口部を画定し、前記フレーム第２耳部分はほぼ円形の形状であり、開口部を画定し、前記フレーム中間部分は前記フレーム第１耳部分と前記フレーム第２耳部分との間に配置されているフレームとを含む、保温用耳当て。
【請求項３５】
前記シェルは、内膜と、内膜につなぎ合わされた外膜とを含む、請求項３４に記載の保温用耳当て。
【請求項３６】
前記フレームは伸張状態と折畳状態とを選択して利用することができ、前記フレーム第１耳部分は前記フレームが折畳状態のとき前記フレーム第２耳部分に隣接する、請求項３４に記載の保温用耳当て。
【請求項３７】
前記第１耳部分と前記第２耳部分によって画定される開口部は、ほぼ円形の形状である、請求項３４に記載の保温用耳当て。
【請求項３８】
前記シェルは第１膜と第２膜とを有し、第１膜は、外周部と、第１実質的円形耳部分と、第２実質的円形耳部分と、第１膜の第１と第２の実質的円形耳部分の間に配置される中間部分とを含み、第２膜は、外周部と、第１実質的円形耳部分と、第２実質的円形耳部分と、第２膜の第１と第２の実質的円形耳部分の間に配置される中間部分とを含み、第１膜の外周部の少なくとも一部分が第２膜の外周部の少なくとも一部分につなぎ合わされる、請求項３４に記載の保温用耳当て。
【請求項３９】
シェルを備えた保温用耳当てであって、  前記シェルは、第１膜と第２膜とを有しており、第１膜は、外周部と、第１実質的円形耳部分と、第２実質的円形耳部分と、第１膜の第１と第２の実質的円形耳部分の間に配置される中間部分とを含み、第２膜は、外周部と、第１実質的円形耳部分と、第２実質的円形耳部分と、第２膜の第１と第２の実質的円形耳部分の間に配置される中間部分とを含み、第１膜の外周部の少なくとも一部分が第２膜の外周部の少なくとも一部分につなぎ合わされる、保温用耳当て。
【請求項４０】
第１膜の外周部は第２膜の外周部に固定してつなぎ合わされる、請求項３９に記載の保温用耳当て。
【請求項４１】
第１膜の中間部分が引き伸ばされ、線に沿って伸長する、請求項３９に記載の保温用耳当て。
【請求項４２】
前記シェルの内側部分に配置されたフレームをさらに含み、  前記シェルの内側部分は第１膜と第２膜との間で画定される、請求項３９に記載の保温用耳当て。
【請求項４３】
保温用耳当てであって、  内側部分を有するシェルと、  前記シェルの内部に配置されるフレームであって、前記フレームは第１耳部分と第２耳部分と中間部分とを含んで一体形成されており、フレーム第１耳部分はループ部分を有し、第１耳部分のループ部分は、第１端部と、第１耳部分のループ部分の第１端部に隣接して配置される第２端部とを含み、前記フレーム第２耳部分はループ部分を有し、第２耳部分のループ部分は、第１端部と、第２耳部分のループ部分の第１端部に隣接して配置される第２端部とを含み、フレーム中間部分はフレーム第１耳部分とフレーム第２耳部分との間に配置される、フレームと、を含む保温用耳当て。
【請求項４４】
前記シェルは第１膜と第２膜を有し、第１膜は、外周部と、第１実質的円形耳部分と、第２実質的円形耳部分と、第１膜の第１と第２の実質的円形耳部分の間に配置される中間部分とを含み、第２膜は、外周部と、第１実質的円形耳部分と、第２実質的円形耳部分と、第２膜の第１と第２の実質的円形耳部分の間に配置される中間部分とを含み、第１膜の外周部の少なくとも一部分が第２膜の外周部の少なくとも一部分につなぎ合わされる、請求項４３に記載の保温用耳当て。
【請求項４５】
保温用耳当てであって、  内側部分を有するシェルと、  前記シェルの内部に配置されるフレームであって、前記フレームは第１耳部分と第２耳部分と中間部分とを有し、フレーム第１耳部分は、フレーム中間部分に連結された第１端部と、フレーム中間部分から離れて配置される第２端部とを含み、フレーム第２耳部分は、フレーム中間部分に連結された第１端部と、フレーム中間部分から離れて配置される第２端部とを含む、フレームと、を含む保温用耳当て。
【請求項４６】
フレーム第１耳部分はアーチ型構造を有する、請求項４５に記載の保温用耳当て。
【請求項４７】
フレーム第１耳部分は半円の形状である、請求項４５に記載の保温用耳当て。
【請求項４８】
保温用耳当てであって、  内側部分を有するシェルと、  前記シェルの内部に配置されるフレームであって、前記フレームは第１耳部分と第２耳部分と中間部分とを有し、フレーム第１耳部分は開口ループを画定し、かつフレーム中間部分に連結され、フレーム第２耳部分は開口ループを画定し、かつフレーム中間部分に連結されるフレームと、を含む保温用耳当て。
【請求項４９】
保温用耳当てであって、  内側部分を有するシェルと、  前記シェルの内部に配置されるフレームであって、前記フレームは第１耳部分と第２耳部分とバンド部分とを有し、第１耳部分はバンド部分に摺動可能に連結され、第２耳部分はバンド部分に摺動可能に連結されるフレームと、を含む保温用耳当て。
【請求項５０】
バンド部分は第１通路と第２通路とを含み、前記フレームの第１耳部分はバンド部分の第１通路と連通するよう構成され、第１耳部分はバンド部分に摺動可能に連結し、前記フレームの第２耳部分は第２通路と連通するよう構成され、第２耳部分はバンド部分に摺動可能に連結する、請求項４９に記載の保温用耳当て。
【請求項５１】
前記シェルは第１膜と第２膜とを有し、第１膜は、外周部と、第１実質的円形耳部分と、第２実質的円形耳部分と、第１膜の第１と第２の実質的円形耳部分の間に配置される中間部分とを含み、第２膜は、外周部と、第１実質的円形耳部分と、第２実質的円形耳部分と、第２膜の第１と第２の実質的円形耳部分の間に配置される中間部分とを含み、第１膜の外周部の少なくとも一部分が第２膜の外周部の少なくとも一部分につなぎ合わされる、請求項４９に記載の保温用耳当て。  
【国際調査報告】
2005515828.tif 000026
2005515828.tif 000027
2005515828.tif 000028